(57)【要約】【課題】  天候により選択することができるシールドを具えたヘルメットのつばを提供する。【解決手段】ヘルメットの外側前方上方端縁部に着脱可能に設けられるつばと、つば上に設けられる薄い色のシールドと、を含んでなり、つば上に濃い色のシールドを増設することができる構造からなる【選択図】図２
0003133137.tif 000002
【実用新案登録請求の範囲】
【請求項１】
ヘルメットの外側前方上方端縁部に着脱可能に設けられるつばと、
つば上に設けられる薄い色のシールドと、を含んでなり、
つば上に濃い色のシールドを増設することができる構造からなることを特徴とする２枚のシールドを具えたヘルメットのつば。
【請求項２】
前記つばが固定ボタンでヘルメットの外側の前方上方端縁部に設けられることを特徴とする請求項１に記載の２枚のシールドを具えたヘルメットのつば。
【請求項３】
前記つばがヘルメットの外側前方上方端縁部のネジ孔に対応する位置に孔を設けてなることを特徴とする請求項１に記載の２枚のシールドを具えたヘルメットのつば。
【請求項４】
前記薄い色のシールドの両側が回動部材でつばの両側に接続されることを特徴とする請求項１に記載の２枚のシールドを具えたヘルメットのつば。
【請求項５】
前記薄い色のシールドが固定部材でつばに固定されることを特徴とする請求項１に記載の２枚のシールドを具えたヘルメットのつば。
【請求項６】
前記濃い色のシールドが薄い色のシールドの外側に設けられることを特徴とする請求項１に記載の２枚のシールドを具えたヘルメットのつば。
【請求項７】
前記濃い色のシールドの両側が回動部材でつばの両側に接続されることを特徴とする請求項１に記載の２枚のシールドを具えたヘルメットのつば。
【請求項８】
前記濃い色のシールドの両側が薄い色のシールドの両側と回動部材でつばの両側に接続されることを特徴とする請求項１に記載の２枚のシールドを具えたヘルメットのつば。
【請求項９】
前記濃い色の両側が回動部材で薄い色のシールドの両側に接続されることを特徴とする請求項１に記載の２枚のシールドを具えたヘルメットのつば。
【請求項１０】
前記薄い色のシールドが透明で無色のシールドを含むことを特徴とする請求項１に記載の２枚のシールドを具えたヘルメットのつば。
【請求項１１】
前記濃い色のシールドが太陽光線を反射するシールド含むことを特徴とする請求項１に記載の２枚のシールドを具えたヘルメットのつば。
【考案の詳細な説明】
【技術分野】
【０００１】
この考案は、ヘルメットのつばに関し、特に天候により選択することができる２枚のシールドを設けたヘルメットのつばに関する。
【背景技術】
【０００２】
市場で販売されているヘルメットは図５に開示するように、ヘルメット８に２枚のシールドを設けてなる。このようなヘルメット８の場合、濃い色のシールド９を外側に設けて、該濃い色のシールド９の内側に薄い色のシールド１０を設ける。また、２枚のシールドの両側の同じ位置にはそれぞれ孔を形成する。
【０００３】
２枚のシールドを重ね合わせ、且つ両側の孔の位置を合わせた後、該重ね合わせた２枚のシールドの孔をヘルメットの左右両側に形成された孔に対応するように設けて、ネジ１１で螺接すると、ヘルメットの両側とシールドの両側が回動自在に設けられる。よって、使用者は天候によってシールドを選択して使用することができる。
【０００４】
次に、市場で販売されている上方に移動させることができるシールドを設けたヘルメットのつばを図１に開示する。図面によれば、つば１は固定ボタン２によりヘルメット５の外側の前方端縁部に固定する。シールドは両側を回動部材４（ボタンなど）でつば１の両側に回動自在に設ける。よって、シールドがつば１の上方に移動することができ、シールドを開閉することができる。
【０００５】
しかしながら、上述のシールドは一枚しか設けられていないため、使用者が濃い色、もしくは薄い色、どちらか一種類のシールドしか選択することができない。薄い色のシールドは夜間の場合、周囲をはっきりと確認できて便利であるが、昼間のように強烈な太陽の光線が照射する場合、目の刺激が強すぎる。一方、濃い色のシールドは昼間の強烈な太陽の光線を防ぐことができるが、夜間の場合、視界が暗すぎて周囲を確認するために不便である。
【考案の開示】
【考案が解決しようとする課題】
【０００６】
この考案は、天候により選択することができるシールドを具えたヘルメットのつばを提供することを課題とする。
【課題を解決するための手段】
【０００７】
そこで、本考案の考案者は従来の技術に見られる欠点に鑑みて鋭意研究を重ねた結果、ヘルメットの外側前方上方端縁部に着脱可能に設けられるつばと、
つば上に設けられる薄い色のシールドと、を含んでなり、つば上に濃い色のシールドを増設することができる構造からなる。
【０００８】
以下、この考案について具体的に説明する。
請求項１に記載するヘルメットのつばは、ヘルメットの外側前方上方端縁部に着脱可能に設けられるつばと、
つば上に設けられる薄い色のシールドと、を含んでなり、
つば上に濃い色のシールドを増設することができる構造からなる。
【０００９】
請求項２に記載のヘルメットのつばは、請求項１におけるつばが固定ボタンでヘルメットの外側の前方上方端縁部に設けられる。
【００１０】
請求項３に記載のヘルメットのつばは、請求項１におけるつばがヘルメットの外側前方上方端縁部のネジ孔に対応する位置に孔を設けてなる。
【００１１】
請求項４に記載のヘルメットのつばは、請求項１における薄い色のシールドの両側が回動部材でつばの両側に接続される。
【００１２】
請求項５に記載のヘルメットのつばは、請求項１における薄い色のシールドが固定部材でつばに固定される。
【００１３】
請求項６に記載のヘルメットのつばは、請求項１における濃い色のシールドが薄い色のシールドの外側に設けられる。
【００１４】
請求項７に記載のヘルメットのつばは、請求項１における濃い色のシールドの両側が回動部材でつばの両側に接続される。
【００１５】
請求項８に記載のヘルメットのつばは、請求項１における濃い色のシールドの両側が薄い色のシールドの両側と回動部材でつばの両側に接続される。
【００１６】
請求項９に記載のヘルメットのつばは、請求項１における濃い色の両側が回動部材で薄い色のシールドの両側に接続される。
【００１７】
請求項１０に記載のヘルメットのつばは、請求項１における薄い色のシールドが透明で無色のシールドを含む。
【００１８】
請求項１１に記載のヘルメットのつばは、請求項１における濃い色のシールドが太陽光線を反射するシールド含む。
【考案の効果】
【００１９】
この考案のヘルメットのつばは、2枚のシールドを具えているため天候によりシールドを選択して使用することができるという効果を有する。
【００２０】
また、この考案のヘルメットのつばは、つば上にシールが設けているため、シールドの着脱が便利であるという効果を有する。
【考案を実施するための最良の形態】
【００２１】
この考案は、天候により選択することができるシールドを具えたヘルメットのつばであって、ヘルメットの外側前方上方端縁部に着脱可能に設けられるつばと、
つば上に設けられる薄い色のシールドと、を含んでなり、つば上に濃い色のシールドを増設することができる構造からなる。
かかるヘルメットのつばの構造と特徴を詳述するために具体的な実施例を挙げ、図示を参照にして以下に説明する。
【実施例】
【００２２】
この考案のヘルメットのつばは、色調の違いが明確な濃い色と薄い色の２枚のシールドをともに設けることができ、天候によって使用者がシールドを選択して使用することができる。
【００２３】
この考案はつば１と薄い色のシールド３とを利用する。
【００２４】
つばはヘルメット５の外側の前方上方端縁部に固定ボタン２で設けるか、或いはヘルメットの外側前方上方端縁部に孔を形成し、つばの両側にもヘルメットの孔に対応する位置に孔を形成し、ネジなどでつばをヘルメットの外側の前方上方端縁部に固定する。
【００２５】
薄い色のシールド３は、回動部材４（ネジなど）、或いは固定部材でつば１に設ける。
【００２６】
この考案のヘルメットのつば１はさらに濃い色のシールド６を薄い色シールド３の外側に設けることができる。
【００２７】
該濃い色のシールドをつば上に設けるには、図２、３に開示するように、濃い色のシールド６の両側を回動部材７（ネジなど）でつば１の両側と回動自在に接続するか、或いは図４に開示するように、濃い色のシールド６の両側と薄い色のシールド３の両側をそれぞれ回動部材４（ネジなど）でつばの両側と接続するか、濃い色のシールドの両側をそれぞれ回動部材（ネジなど）で薄い色のシールドの両側と接続するか、などの方法がある。
【００２８】
上述の方法でつば上に濃い色と薄い色のシールドを設ける。また、薄い色のシールドには透明無色のシールドを含み、濃い色のシールドには太陽光線を反射するシールド（電気めっきを施したシールド）を含む。
【００２９】
上述の方法によりヘルメットに２枚のシールドを設けることができる。また、薄い色のシールドは無色のシールドを含み、濃い色のシールドは太陽の光を反射するシールド（電気めっきを行ったシールド）を含む。
【００３０】
この考案の鍔の形が実施例に限定されることがなく、どのような形でも好みの形状に形成することができる。即ち、ヘルメットに鍔があればよい。
【００３１】
薄い色のシールドが固定部材を利用してつばに固定し、上方に動かすことができない場合、濃い色のシールドを上述の方法で回動自在に設け、濃い色のシールドだけを上下に動かして使用すれば、天候に合わせてシールドを選択して使用することができる。
【００３２】
この考案のヘルメットのつばはネジでヘルメットの外側前方上方端縁部に固定してもよい。
【００３３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３４】
【図１】従来のヘルメットのつばを示した説明図である。
【図２】この考案のヘルメットのつばにシールドを設けた状態を示した斜視図である。
【図３】この考案のヘルメットのつばを実施例を示した説明図である。
【図４】この考案のヘルメットのつばの他の実施例を示した説明図である。
【図５】従来のヘルメットを示した説明図である。
【符号の説明】
【００３５】
１ つば
２ 固定ボタン
３ 薄い色のシールド
４ 回動部材
５ ヘルメット
６ 濃い色のシールド
７ 回動部材
８ ヘルメット
９ 濃い色のシールド
１０ 薄い色のシールド
１１ ネジ
【図１】
0003133137.tif 000003
【図２】
0003133137.tif 000004
【図３】
0003133137.tif 000005
【図４】
0003133137.tif 000006
【図５】
0003133137.tif 000007
【手続補正書】
【提出日】平成19年4月25日(2007.4.25)
【手続補正１】
【補正対象書類名】実用新案登録請求の範囲
【補正対象項目名】全文
【補正方法】変更
【補正の内容】
【実用新案登録請求の範囲】
【請求項１】
ヘルメットの外側前方上方端縁部に着脱可能に設けられるつばと、
つば上に設けられる薄い色のシールドと、
つば上に増設可能な濃い色のシールドを含んでなることを特徴とする２枚のシールドを具えたヘルメットのつば。
【請求項２】
前記つばがヘルメットの外側の前方上方端縁部に設けられる固定ボタンを有することを特徴とする請求項１に記載の２枚のシールドを具えたヘルメットのつば。
【請求項３】
前記つばがヘルメットの外側前方上方端縁部のネジ孔に対応する位置に孔を有することを特徴とする請求項１に記載の２枚のシールドを具えたヘルメットのつば。
【請求項４】
前記薄い色のシールドの両側がつばの両側に接続される回動部材を有することを特徴とする請求項１に記載の２枚のシールドを具えたヘルメットのつば。
【請求項５】
前記薄い色のシールドがつばに固定される固定部材を有することを特徴とする請求項１に記載の２枚のシールドを具えたヘルメットのつば。
【請求項６】
前記濃い色のシールドが薄い色のシールドの外側に設けられることを特徴とする請求項１に記載の２枚のシールドを具えたヘルメットのつば。
【請求項７】
前記濃い色のシールドの両側が回動部材でつばの両側に接続されることを特徴とする請求項１に記載の２枚のシールドを具えたヘルメットのつば。
【請求項８】
前記濃い色のシールドの両側が薄い色のシールドの両側と回動部材でつばの両側に接続されることを特徴とする請求項１に記載の２枚のシールドを具えたヘルメットのつば。
【請求項９】
前記濃い色の両側が回動部材で薄い色のシールドの両側に接続されることを特徴とする請求項１に記載の２枚のシールドを具えたヘルメットのつば。
【請求項１０】
前記薄い色のシールドは、透明で無色のシールドであることを特徴とする請求項１に記載の２枚のシールドを具えたヘルメットのつば。
【請求項１１】
前記濃い色のシールドは、太陽光線を反射するシールドであることを特徴とする請求項１に記載の２枚のシールドを具えたヘルメットのつば。